(57)【要約】【課題】複数のコミュニケーション手段を利用するユーザーについての利便性を向上させることである。【解決手段】ポインター９０１によってアイコン３０２〜３０６のいずれかが指示されると、クライアント端末のユーザー（特定の主体）が、指示されたアイコンに対応するユーザーとの間で行なった、枠８０１は、アイコン３０１に対応するユーザーからアイコン３０２に対応するユーザーに送信されたＷｅｂメールのメール文を示す画面である。枠８０２は、或る投稿サイトにおける、アイコン３０２に対応するユーザーのためのページにアイコン３０１に対応するユーザーが投稿した記事を表示する画面である。【選択図】図４
2013020364.tif 000002
【特許請求の範囲】
【請求項１】
特定の主体と複数の主体の間の相関関係を取得するための取得手段と、
前記特定の主体の各前記複数の主体とのコミュニケーションの内容または当該内容を取得するための情報を記憶する記憶手段と、
前記取得手段が取得した相関関係に基づいて主体間の相関関係を表示するための表示制御手段とを備え、
前記表示制御手段は、前記記憶手段に記憶した情報に基づいて、前記相関関係の表示とともに前記特定の主体と前記複数の主体とのコミュニケーションの内容の少なくとも一部を表示させる、情報処理装置。
【請求項２】
前記表示制御手段は、
各主体に対応したアイコンを前記相関関係に応じて線で連結させることにより、前記相関関係を表示し、
前記線が指定されると、当該指定された線で連結される主体間で最初にやりとりされたコミュニケーションの内容を表示させる、請求項１に記載の情報処理装置。
【請求項３】
前記コミュニケーションの内容は、コミュニケーション手段の種類を特定する情報を含み、
前記表示制御手段は、
各主体に対応したアイコンを前記相関関係に応じて線で連結させることにより、前記相関関係を表示し、
前記線が指定されると、当該指定された線で連結される主体間でやりとりに使用されたコミュニケーション手段の種類を表示させる、請求項１または請求項２に記載の情報処理装置。
【請求項４】
前記表示制御手段は、主体間のコミュニケーションの量または頻度に応じて、前記線の表示態様を変更する、請求項２または請求項３に記載の情報処理装置。
【請求項５】
特定のコミュニケーションの手段における宛先を設定するための設定手段をさらに備え、
前記設定手段は、所定の宛先を指定された場合に、前記表示制御手段によって表示される前記相関関係において当該所定の宛先に関連付けられている宛先を、前記所定の宛先とともに、前記特定にコミュニケーションの手段における宛先に設定する、請求項１〜請求項４のいずれかに記載の情報処理装置。
【請求項６】
前記主体は、個人または団体である、請求項１〜請求項５のいずれかに記載の情報処理装置。
【請求項７】
前記特定の主体および各前記複数の主体の業務の状況を登録するための登録手段をさらに備え、
前記表示制御手段は、前記主体間の相関関係とともに、前記特定の主体および各前記複数の主体の業務の状況を表示させる、請求項１〜請求項６のいずれかに記載の情報処理装置。
【請求項８】
主体間の相関関係を表示させるための情報処理装置を制御方法であって、
前記情報処理装置が、
特定の主体と複数の主体の間の相関関係を取得するステップと、
前記特定の主体の各前記複数の主体とのコミュニケーションの内容または当該内容を取得するための情報を記憶するステップと、
前記取得手段が取得した相関関係に基づいて主体間の相関関係を表示するステップとを実行し、
前記相関関係を表示するステップは、前記記憶した情報に基づいて、前記相関関係の表示とともに前記特定の主体と前記複数の主体とのコミュニケーションの内容の少なくとも一部を表示させる、情報処理装置の制御方法。
【請求項９】
主体間の相関関係を表示させるためのコンピューターが実行するプログラムであって、
前記プログラムは、前記コンピューターを、
特定の主体と複数の主体の間の相関関係を取得するための取得手段、
前記特定の主体の各前記複数の主体とのコミュニケーションの内容または当該内容を取得するための情報を記憶する記憶手段、および、
前記取得手段が取得した相関関係に基づいて主体間の相関関係を表示するための表示制御手段として機能させ、
前記表示制御手段は、前記記憶手段に記憶した情報に基づいて、前記相関関係の表示とともに前記特定の主体と前記複数の主体とのコミュニケーションの内容の少なくとも一部を表示させる、表示制御プログラム。
【発明の詳細な説明】
【技術分野】
【０００１】
本発明は、情報処理装置における、ユーザーのコミュニケーション手段の利用態様に即した表示に関する。
【背景技術】
【０００２】
昨今の情報通信機器の普及に伴い、一般消費者における、電子メール、ツイッター、ソーシャルネットワークシステム（ＳＮＳ）、掲示板、メッセンジャーといった、情報通信技術を利用したコミュニケーション手段の利用が増えている。
【０００３】
そして、このような社会の動きにあわせて、コミュニケーション手段の利用に関し、種々の技術が提案されている。
【０００４】
たとえば、特許文献１（特開２００７−３０４７５９号公報）には、機器設定についての管理者負担を抑え、構成変更に連動した設定変更が行なうための運用管理装置が開示されている。当該装置は、サービス実行手段の動作を規定する設定情報が新たに設定される毎に、サービス実行手段の現在の状態を示す構成情報との相関を検出し、構成情報と設定情報との相関を示す相関情報を相関情報蓄積手段に記憶する。そして、記憶された相関情報によって設定情報と相関があるとされる構成情報の変化を検出し、変化の検出された構成情報とそれと相関のある設定情報を画面に表示して、管理者に対して、構成情報の変化に伴う設定情報の更新を促す。
【０００５】
また、特許文献２（特開２００１−３２５２００号公報）には、チャットシステムが開示されている。当該チャットシステムでは、参加者からのメッセージの表示時間を各参加者が参加者ごとに個別に設定することができるようにし、そして、メッセージの表示時間が減少するに従って、メッセージの表示濃度を薄くしていく。また、各参加者のメッセージの内容の関連付けを参加者ごとに個別に行うことができるようにし、全参加者のメッセージの内容の関連付けが相関図から一目で分かるようにしている。
【０００６】
また、特許文献３（特開平１１−０１５８４２号公報）には、データマイニング装置が開示されている。当該装置では、相関ルール生成手段が、データベースを基に相関ルールファイルを生成し出力する。また、評価尺度指定手段は、ユーザーが指定した評価尺度に基づき評価尺度ファイルを出力する。また、相関ルール評価手段は、評価尺度ファイルに基づいて評価値を算出し、相関ルールファイル中の相関ルールの価値に関する情報を更新する。そして、実行結果表示手段は、相関ルールファイルに基づいて、再評価された相関ルールの価値情報を表示すると共に、表示順序の並び替えや、表示する相関ルールの限定処理を行なった上で相関ルールを表示する。
【先行技術文献】
【特許文献】
【０００７】
【特許文献１】特開２００７−３０４７５９号公報
【特許文献２】特開２００１−３２５２００号公報
【特許文献３】特開平１１−０１５８４２号公報
【発明の概要】
【発明が解決しようとする課題】
【０００８】
上記した従来の技術によれば、コミュニケーションの場における変化をユーザー等に容易に認識させることができる。
【０００９】
なお、上記したようなコミュニケーション手段の多様化により、一人のユーザーが複数のコミュニケーション手段を利用する場面が増えてきている。そして、このようなユーザーが、複数のコミュニケーション手段での通信内容を一括して管理しようとした場合については、従来の技術では考慮されていなかった。
【００１０】
本発明は、かかる実情に鑑み考え出されたものであり、その目的は、複数のコミュニケーション手段を利用するユーザーについての利便性を向上させることである。
【課題を解決するための手段】
【００１１】
本発明に従った情報処理装置は、特定の主体と複数の主体の間の相関関係を取得するための取得手段と、特定の主体の各複数の主体とのコミュニケーションの内容または当該内容を取得するための情報を記憶する記憶手段と、取得手段が取得した相関関係に基づいて主体間の相関関係を表示するための表示制御手段とを備え、表示制御手段は、記憶手段に記憶した情報に基づいて、相関関係の表示とともに特定の主体と複数の主体とのコミュニケーションの内容の少なくとも一部を表示させる。
【００１２】
好ましくは、表示制御手段は、各主体に対応したアイコンを相関関係に応じて線で連結させることにより、相関関係を表示し、線が指定されると、当該指定された線で連結される主体間で最初にやりとりされたコミュニケーションの内容を表示させる。
【００１３】
好ましくは、コミュニケーションの内容は、コミュニケーション手段の種類を特定する情報を含み、表示制御手段は、各主体に対応したアイコンを相関関係に応じて線で連結させることにより、相関関係を表示し、線が指定されると、当該指定された線で連結される主体間でやりとりに使用されたコミュニケーション手段の種類を表示させる。
【００１４】
好ましくは、表示制御手段は、主体間のコミュニケーションの量または頻度に応じて、線の表示態様を変更する。
【００１５】
好ましくは、特定のコミュニケーションの手段における宛先を設定するための設定手段をさらに備え、設定手段は、所定の宛先を指定された場合に、表示制御手段によって表示される相関関係において当該所定の宛先に関連付けられている宛先を、所定の宛先とともに、特定にコミュニケーションの手段における宛先に設定する。
【００１６】
好ましくは、主体は、個人または団体である。
好ましくは、特定の主体および各複数の主体の業務の状況を登録するための登録手段をさらに備え、表示制御手段は、主体間の相関関係とともに、特定の主体および各複数の主体の業務の状況を表示させる。
【００１７】
本発明に従った情報処理装置の制御方法は、主体間の相関関係を表示させるための情報処理装置を制御方法であって、情報処理装置が、特定の主体と複数の主体の間の相関関係を取得するステップと、特定の主体の各複数の主体とのコミュニケーションの内容または当該内容を取得するための情報を記憶するステップと、取得手段が取得した相関関係に基づいて主体間の相関関係を表示するステップとを実行し、相関関係を表示するステップは、記憶した情報に基づいて、相関関係の表示とともに特定の主体と複数の主体とのコミュニケーションの内容の少なくとも一部を表示させる。
【００１８】
本発明に従った情報処理プログラムは、主体間の相関関係を表示させるためのコンピューターが実行するプログラムであって、プログラムは、コンピューターを、特定の主体と複数の主体の間の相関関係を取得するための取得手段、特定の主体の各複数の主体とのコミュニケーションの内容または当該内容を取得するための情報を記憶する記憶手段、および、取得手段が取得した相関関係に基づいて主体間の相関関係を表示するための表示制御手段として機能させ、表示制御手段は、記憶手段に記憶した情報に基づいて、相関関係の表示とともに特定の主体と複数の主体とのコミュニケーションの内容の少なくとも一部を表示させる。
【発明の効果】
【００１９】
本発明によれば、主体間の相関関係の表示とともに、特定の主体と複数の主体とのコミュニケーションの内容の少なくとも一部が表示される。これにより、情報処理装置を操作するユーザーが、特定の主体として、複数のコミュニケーション手段によって複数の主体と通信していても、複数の主体のそれぞれとの間のコミュニケーションの内容を、相関図とともに視認できる。
【００２０】
したがって、複数のコミュニケーション手段を利用するユーザーについての利便性を向上させることができる。
【図面の簡単な説明】
【００２１】
【図１】本発明の第１の実施の形態であるクライアント端末を含む情報処理システムの概略構成を示す図である。
【図２】図１のクライアント端末のハードウェア構成を模式的に示す図である。
【図３】図２のモニターにおける表示内容の一例を示す図である。
【図４】第１の実施の形態においてポインターがアイコン上に位置することによって通信の内容が表示された際の画面の一例を示す図である。
【図５】図３および図４を参照して説明した通信内容の表示の変形例を説明するための図である。
【図６】図３および図４を参照して説明した通信内容の表示の変形例を説明するための図である。
【図７】図３および図４を参照して説明した通信内容の表示の他の変形例を説明するための図である。
【図８】図３および図４を参照して説明した通信内容の表示の他の変形例を説明するための図である。
【図９】図３の相関図の表示例の変形例を示す図である。
【図１０】本発明の第２の実施の形態である複合機のハードウェア構成を模式的に示す図である。
【図１１】図１０の複合機の入力装置の外観を示す図である。
【図１２】図１１の表示欄の拡大図である。
【図１３】本発明の第３の実施の形態において表示される相関図の一例を示す図である。
【図１４】本発明の第４の実施の形態において表示される相関図の一例を示す図である。
【図１５】本発明の第４の実施の形態において表示される相関図の他の例を示す図である。
【発明を実施するための形態】
【００２２】
以下、本発明について、図面を参照して説明する。なお、以下の説明において、同一の機能および作用を有する要素については、同じ符号を付し、重複する説明を繰返さない。
【００２３】
［第１の実施の形態］
＜システムの概略構成＞
図１は、本発明の一実施の形態であるクライアント端末を含む情報処理システムの概略構成を示す図である。
【００２４】
情報処理システムでは、相関図提供サーバー１００とクライアント端末２００とが、ネットワーク５００を介して接続されている。クライアント端末２００は、相関図提供サーバー１００からユーザーの相関図を作成するための情報を取得し、当該クライアント端末２００において当該相関図を表示させる。
【００２５】
＜クライアント端末のハードウェア構成＞
図２は、クライアント端末２００のハードウェア構成を模式的に示す図である。
【００２６】
図２を参照して、クライアント端末２００は、たとえば汎用のコンピュータによって実現され、当該クライアント端末２００の動作を全体的に制御するＣＰＵ（Central  Processing  Unit）２５０、ＣＰＵ２５０のワークエリアとして機能するＲＡＭ（Random  Access  Memory）２５４、プログラムやデータなどを記憶するＲＯＭ（Read  Only  Memory）２５６、クライアント端末２００に対して情報を入力するためのキーボードなどの入力装置２６０、他のクライアント端末２００または別のネットワークとの通信を行なう通信装置２６２、プログラムやファイルを記憶するハードディスクを備えるハードディスク装置（ＨＤＤ）２６４、およびクライアント端末２００に対して着脱可能な記憶媒体２５２Ａとアクセスするメディアドライブ２５２と、モニター２６６とを備えている。ＣＰＵ２５０は、入力装置２６０を介して入力された情報の入力を受付け、通信装置２６２を介してネットワーク５００や他のネットワークと接続可能であり、また、モニター２６６に当該クライアント端末２００において処理されている情報を表示させることができる。
【００２７】
ＣＰＵ２５０が実行するプログラムは、ＲＯＭ２５６やＨＤＤ２６４のハードディスクに記憶されていてもよいし、メディアドライブ２５２を介してＣＰＵ２５０がアクセスする記憶媒体２５２Ａに記憶されていてもよいし、ＣＰＵ２５０が通信装置２６２を介してアクセスする外部の記憶装置に記憶されているものであってもよい。
【００２８】
記憶媒体２５２Ａとしては、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）などの、不揮発的にプログラムを格納する媒体が挙げられる。
【００２９】
また、ＨＤＤ２６４のハードディスクには、メディアドライブ２５２を介して記憶媒体２５２Ａに記憶されたファイルや、通信装置２６２を介してアクセス可能となる外部の記憶装置に記憶されたファイルがＨＤＤ２６４のハードディスクに記憶（インストール）され、これがＣＰＵ２５０によって実行されてもよい。
【００３０】
また、クライアント端末２００は、モニター２６６と一体的に構成されてもよく、別体で構成されても良い。また、モニター２６６等の表示装置を備えず、他の表示装置に情報を表示するための情報を送信するものであっても良い。
【００３１】
＜手段利用情報＞
クライアント端末２００では、相関図提供サーバー１００から受信した情報に従って相関図が表示されるとともに、当該相関図におけるユーザー間で、ＳＮＳ等のコミュニケーション手段を利用してやりとりされた内容が表示される。ＨＤＤ２６４には、当該内容を表示するための情報（手段利用情報）が格納されている。このように格納される情報の一例を、表１に示す。
【００３２】
【表１】
2013020364.tif 000003
【００３３】
表１では、コミュニケーション手段の名称（サイト名）と、各コミュニケーション手段のネットワーク５００上のアドレスと、当該コミュニケーション手段におけるクライアント端末２００のユーザーのアカウント名と、当該コミュニケーション手段における当該ユーザーのパスワードとが含まれる。
【００３４】
サイト名とは、各コミュニケーション手段について、クライアント端末２００のユーザーが設定し、ＨＤＤ２６４に登録した名称である。アドレスとは、ネットワーク５００上のコミュニケーション手段にアクセスするためのアドレスであり、表１では、その一例としてＵＲＬ（Uniform  Resource  Locator）が格納されている。アカウント名とパスワードは、クライアント端末２００のユーザーが各サイトで自己が利用するアカウント名とパスワードをクライアント端末２００に入力することにより、ＨＤＤ２６４に登録される。
【００３５】
＜相関図表示処理＞
クライアント端末２００において、相関図が表示される際に実行される処理について、説明する。
【００３６】
入力装置２６０に対して特定の操作がなされることにより、または、ＣＰＵ２５０に他の装置または実行中のアプリケーションから相関図を表示するための指示が入力されることにより、ＣＰＵ２５０は、相関図提供サーバー１００から相関図を表示させるための情報を取得する。
【００３７】
図３は、モニター２６６における表示内容の一例を示す図である。上記操作または指示により、モニター２６６には、たとえば図３に示すような相関図が表示される。相関図は、人物を示すアイコン３０１〜３０６を含む。なお、ＣＰＵ２５０は、クライアント端末２００のユーザーを特定し、当該ユーザーを含む相関図を取得する。そして、当該ユーザーを中心とする相関図を、モニター２６６に表示させる。図３の例では、アイコン３０１が、クライアント端末２００のユーザーを表す。本実施の形態では、当該ユーザーが特定の主体である。
【００３８】
ＣＰＵ２５０は、相関図提供サーバー１００から取得した情報に基づいて、相関図内のアイコン３０２〜３０６のそれぞれに、対応するユーザーの名称（アカウント名もしくはハンドルネーム等）を表示させても良い。図３では、この一例として、アイコン３０２内に「Ｂさん」という文字列が表示されている。また、ＣＰＵ２５０は、アイコン３０１に、手段利用情報から取得されたアカウント名の少なくとも１つ（たとえば、登録されているアカウント名の最も数が多いもの、もしくは、手段利用情報において最初に登録されているアカウント名）を表示させても良い。図３では、この一例として、アイコン３０１内に「Ａさん」という文字列が表示されている。
【００３９】
ＣＰＵ２５０は、たとえば、クライアント端末２００の利用に際し、各ユーザーにログイン情報を入力させることにより、当該クライアント端末２００のユーザーを特定する。
【００４０】
また、図３から理解されるように、ＣＰＵ２５０は、相関図において、各ユーザーを表すアイコン３０１〜３０６を、相関図提供サーバー１００から取得したユーザー間の相関関係に従って線Ａ１〜Ａ５で接続している。線Ａ１〜Ａ５は、アイコン３０１から他のアイコンに向かう方向の延びる矢印として示されているが、線であれば、矢印である必要はない。
【００４１】
図３には、さらに、ポインター９０１が示されている。ポインター９０１は、入力装置２６０の一例であるマウスをユーザーが操作することにより、その表示位置が移動するとともに、モニター２６６において表示されている内容のうち指示される位置が変更される。なお、図３において、ポインター９０１の画像が複数示されているのは、ポインター９０１が移動するように表示されている状態を示しており、実際に画面に表示されるポインターの数は１である。
【００４２】
本実施の形態では、ポインター９０１によってアイコン３０２〜３０６のいずれかが指示されると、ＣＰＵ２５０は、クライアント端末２００のユーザー（特定の主体）が、指示されたアイコンに対応するユーザーとの間で行なった、コミュニケーション手段を利用した通信の内容を表示する。図４は、ポインター９０１がアイコン３０２上に位置することによって通信の内容が表示された際の画面の一例を示す図である。図４では、通信内容として、枠８０１と枠８０２が、アイコン３０２の近傍に表示されている。枠８０１は、アイコン３０１に対応するユーザーからアイコン３０２に対応するユーザーに送信されたＷｅｂメールのメール文を示す画面である。枠８０２は、或る投稿サイトにおける、アイコン３０２に対応するユーザーのためのページにアイコン３０１に対応するユーザーが投稿した記事を表示する画面である。
【００４３】
このような、通信の内容を表示するための処理内容を、以下に説明する。
ＣＰＵ２５０は、上記マウスの操作内容を取得することにより、ポインター９０１がアイコン３０２〜３０６（表示されたアイコンのうち特定の主体以外の主体に対応するアイコン）のいずれかの上に位置しているか否かを判断し、位置していると判断すると、どのアイコンの上に位置しているかを特定する。そして、特定されたアイコンに対応するユーザーを特定する。ＣＰＵ２５０は、相関図を作成するための情報を相関図提供サーバー１００から受信している。そして、ＣＰＵ２５０は、当該情報に含まれる各ユーザーの情報に関連付けて、アイコン３０２〜３０６を表示している。つまり、ＣＰＵ２５０は、アイコン３０２〜３０６のいずれかを特定することにより、相関図提供サーバー１００から取得した情報に含まれる１以上のユーザーのうち、ポインター９０１がアイコンの上に位置した１のユーザーを特定することができる。
【００４４】
次に、ＣＰＵ２５０は、表１の手段利用情報に登録されたすべてのコミュニケーション手段にアクセスする。具体的には、各アドレスにアクセスし、当該アドレスに関連付けられて格納されたアカウント名およびパスワードを利用して、各コミュニケーション手段における、クライアント端末２００のユーザーのアカウントでログインする。そして、ログインしたサイトにおいて、上記のように特定したユーザーとの通信の内容を取得する。
【００４５】
具体的には、アクセスしたコミュニケーション手段がＷｅｂメールであれば、ＣＰＵ２５０は、受信箱の送信元が上記特定したユーザーとなっているメールおよび送信箱の送信先が上記特定したユーザーとなっているメールを取得する。なお、相関図提供サーバー１００から取得した各ユーザーの情報には、メールアドレスが含まれる。上記特定したユーザーのメールアドレスが利用されて、このようなメールの取得が行なわれる。
【００４６】
また、アクセスしたコミュニケーション手段が投稿サイトであれば、ＣＰＵ２５０は、コメントを記入したユーザーが上記特定したユーザーとなっているコメントを取得する。なお、相関図提供サーバー１００から取得した各ユーザーの情報には、ユーザーのハンドルネームが含まれる。上記特定したユーザーのハンドルネームが利用されて、このようなコメントの取得が行なわれる。
【００４７】
そして、ＣＰＵ２５０は、このように取得した通信の内容を上記のように特定したユーザーに対応するアイコン（図４のアイコン３０２）の近傍に表示させることにより、図４に示したような画面表示を実現する。
【００４８】
以上説明した本実施の形態では、表１に示したような手段利用情報により、特定の主体と複数の主体とのコミュニケーションの内容を記憶するための情報が構成される。なお、本実施の形態において、通信の内容は、上記のようなネットワーク上のサーバーに格納されているものに限定されない。たとえば、ユーザーがクライアント端末２００にインストールされたメーラーを利用して通信する場合であって、受信メールおよび送信メールがクライアント端末２００のＨＤＤ２６４に格納されている場合には、手段利用情報のアドレスの欄には、当該メーラーの実行ファイルの格納場所が登録される。この場合、情報処理装置の記憶手段（ＨＤＤ２６４）に記憶される受信メールおよび送信メールにより、コミュニケーションの内容が記憶されていることになる。そして、ＣＰＵ２５０は、図４の示すような表示を実現する際には、ＨＤＤ２６４から受信メールおよび送信メールを取得する。
【００４９】
なお、本実施の形態において、ＣＰＵ２５０は、アイコン３０２上にポインター９０１が位置したことを検出したときに、アイコン３０１に対応するユーザーとアイコン３０２に対応するユーザーの間での通信内容として検出したものをすべて表示させても良いし、これらのユーザー間での通信内容のうち特定の条件を満たすもの（たとえば、初めての通信内容、最新の通信内容、データ量が最も多かった通信内容、所定のキーワードを含む通信内容、等）のみを表示させても良い。ＣＰＵ２５０は、取得したすべての通信内容から、通信時刻、通信されたデータ量、通信内容に含まれる文字列、等を検索することにより、このような選択された表示を実現する。
【００５０】
また、図４に示されたような通信内容の表示は、ユーザーに対応するアイコン（アイコン３０２等）上にポインター９０１が位置したことを条件とする他に、アイコン３０１と結ばれる線上にポインター９０１が位置したことを条件として、行なわれても良い。図５および図６は、図３および図４を参照して説明した通信内容の表示の変形例を説明するための図である。
【００５１】
ＣＰＵ２５０は、図５に示されるように、線Ａ１上に位置したことを検出すると、当該線Ａ１によるアイコン３０１の連結相手のアイコンを特定する。なお、ＣＰＵ２５０は、相関図提供サーバー１００から取得した情報に基づいて図３または図５に示されたような相関図を表示させるための画面情報を生成する際に、線Ａ１〜Ａ５を表示させるための情報を生成する。当該情報に基づいて、線Ａ１〜Ａ５の各線が、どのアイコンを結びつけるために表示されているものであるかを特定できる。図５に示された例では、線Ａ１によってアイコン３０１と結ばれるアイコンの相手としてアイコン３０２を特定する。
【００５２】
そして、ＣＰＵ２５０は、このように特定したアイコン３０２に対応するユーザーを特定し、当該ユーザーとアイコン３０１に対応するユーザーとの通信内容を、手段利用情報に基づいて取得し、取得した通信内容を、図６に示されたようにアイコン３０２の近傍に表示する。図６では、通信内容として、メール文を示す枠８０１が示されている。
【００５３】
また、以上説明した本実施の形態において、ポインター９０１が、アイコン上に位置するかアイコン同士を結ぶ線上に位置するかによって、アイコン近傍に表示される内容を変化させてもよい。具体的には、図３および図４を参照して説明したように、アイコン上にポインター９０１が位置したときには、当該アイコン近傍に通信内容を表示し、そして、図７に示されるように、アイコン同士を結ぶ線上にポインター９０１が位置したときには、図８に示されるように、アイコン近傍に対応するアイコンのユーザー同士が通信に利用したコミュニケーション手段を特定する情報を表示させても良い。コミュニケーション手段を特定する情報を表示させる際には、ＣＰＵ２５０は、手段利用情報に基づいて通信内容を取得できたコミュニケーション手段の、手段利用情報におけるサイト名を、表示させる。図８では、表示されるサイト名の一例として、「Ｐ」「Ｑ」「Ｒ」が示されている。
【００５４】
また、以上説明した本実施の形態において、ＣＰＵ２５０は、ポインター９０１がアイコン上や線上に位置しなくとも、図３に示すように表示された相関図中のすべてのユーザーについて、アイコン３０１に対応するユーザーとのすべての通信内容を手段利用情報に基づいて取得し、当該すべての通信内容（または、特定の条件を満たす通信内容）を相関図中の対応するアイコン近傍に表示させても良い。また、通信内容とともに、もしくは、通信内容に変えて、ポインター９０１の位置に関わらず、図８を参照して説明したような、アイコン３０１に対応するユーザーとの間での通信に利用されたコミュニケーション手段の種類を特定する情報が、表示されても良い。
【００５５】
さらに、以上説明した本実施の形態では、相関図とともに、アイコン３０１に対応するユーザーとの情報のやりとりの量や頻度に応じた表示がなされても良い。ＣＰＵ２５０は、相関図中の各アイコンに対応するユーザーとアイコン３０１に対応するユーザーとのすべての通信内容を、手段利用情報に基づいて取得する。そして、当該通信内容の通信時刻（通信の日付）に基づいて、通信の頻度を算出する。通信の頻度とは、一定期間（たとえば、１週間、１ヶ月、等）内の情報のやりとり（送受信）の回数をいう。そして、当該通信の頻度を、ポインター９０１の位置に関係なく、または、ポインター９０１がアイコンもしくは線上に位置したことに応じて、相関図中のアイコンもしくは線の近傍に表示させても良い。図９は、このような変形例における相関図の表示例を示す図である。
【００５６】
図９では、「やりとり」という文字列に関連付けられて、通信の頻度が表示され、また、「ツール」という文字列に関連付けられて、利用されるコミュニケーション手段の種類が表示されている。
【００５７】
これらの情報として、線Ａ１近傍には、やりとりとして「普通」、ツールとして「Ｔ」が表示されている。これにより、アイコン３０１に対応するユーザーとアイコン３０２に対応するユーザーは、「Ｔ」というコミュニケーション手段を利用して通信をしており、当該通信の頻度は「普通」であることが示される。なお、この例では、ＣＰＵ２５０は、通信の頻度を、「密」「普通」「疎」の３段階で表示する。
【００５８】
また、線Ａ２近傍には、やりとりとして「密」、ツールとして「Ｐ」が表示されている。これにより、アイコン３０１に対応するユーザーとアイコン３０３に対応するユーザーは、「Ｐ」というコミュニケーション手段を利用して通信をしており、当該通信の頻度は「密」であることが示される。
【００５９】
また、線Ａ３近傍には、やりとりとして「疎」、ツールとして「Ｑ」が表示されている。これにより、アイコン３０１に対応するユーザーとアイコン３０４に対応するユーザーは、「Ｑ」というコミュニケーション手段を利用して通信をしており、当該通信の頻度は「疎」であることが示される。
【００６０】
また、線Ａ４近傍には、やりとりとして「普通」、ツールとして「Ｒ」が表示されている。これにより、アイコン３０１に対応するユーザーとアイコン３０５に対応するユーザーは、「Ｒ」というコミュニケーション手段を利用して通信をしており、当該通信の頻度は「普通」であることが示される。
【００６１】
また、線Ａ５近傍には、やりとりとして「普通」、ツールとして「Ｓ」が表示されている。これにより、アイコン３０１に対応するユーザーとアイコン３０６に対応するユーザーは、「Ｓ」というコミュニケーション手段を利用して通信をしており、当該通信の頻度は「普通」であることが示される。
【００６２】
また、図９では、線Ａ１〜Ａ５を表す線の種類が、その通信頻度に応じて選択されている。通信頻度が「密」「普通」「疎」の順に、線が細くなっている。つまり、「密」が最も線が太く、「疎」が最も線が細い（図９では破線）。
【００６３】
なお、通信頻度の代わりに、通信の量（つまり、これまで通信が行なわれた回数もしくは通信されたデータ量の総量）が表示されたり、これにに基づいて、線の種類が選択されたりしても良い。
【００６４】
［第２の実施の形態］
図１０は、本実施の形態の情報処理装置のハードウェア構成を模式的に示す図である。
【００６５】
図１０を参照して、本実施の形態の情報処理装置は、コピー、プリンター、ファクシミリ、および、スキャナーの機能を有する、いわゆる複合機２０１である。図２に示されたハードウェア構成に対して、本実施の形態の複合機２０１は、プリントエンジン２６８およびスキャナー２６９を備える。複合機２０１は、スキャナー２６９で、原稿の画像データを生成し、また、プリントエンジン２６８で、記録用紙上に画像を形成する。また、複合機２０１は、スキャナー２６９で生成された画像データ、他の装置から通信装置２６２を介して受信した画像データ、もしくは、ＨＤＤ２６４に格納された画像データを、通信装置２６２を介して他の装置にファクリミリ送信する。
【００６６】
図１１は、複合機２０１の入力装置２６０を示す。入力装置２６０には、モニター２６６が組み込まれている。そして、モニター２６６には、ファクシミリ送信における、送信先を設定するための画面が表示されている。当該画面には、ＨＤＤ２６４に予め登録された宛先から送信先を設定するためのボタン６１１は表示されている。図１１では、モニター２６６には、ボタン６１１が操作された際の表示画面が表示されている。本実施の形態の入力装置２６０（モニター２６６）は、複合機２０１の本体から着脱可能に構成されていてもよい。
【００６７】
図１１の表示画面は、相関図を示す表示欄６１２を含む。図１２は、図１１の表示欄６１２の拡大図である。
【００６８】
本実施の形態においても、ＣＰＵ２５０は、第１の実施の形態と同様に、手段利用情報に基づいて相関図を作成し、表示させることができる。なお、作成し、表示される相関図は、図１２に示されたように、複合機２０１のユーザーを表すアイコン７０１とは直接連結されてはいないが他のアイコンを介して連結されるアイコンも含む。このようなアイコンとしては、アイコン７０１に直接連結はされないが、アイコン７０２を介して連結されているアイコン７０３，７０４がある。
【００６９】
そして、本実施の形態の複合機２０１では、相関図に含まれるアイコンをタッチ操作することにより、当該アイコンに対応したユーザーをファクシミリ送信の送信先として設定することができる。ＣＰＵ２５０は、タッチ操作されたアイコンを特定し、当該アイコンに対応するユーザーを特定し、そして、当該ユーザーに関連付けられている宛先を、ファクリミリ送信の送信先として設定する。
【００７０】
また、複合機２０１では、相関図において、タッチ操作されたアイコンに直接連結されたアイコンに対応するユーザーのすべてを、送信先に設定しても良い。たとえば、図１２においてアイコン７０２がタッチ操作された場合、アイコン７０２に直接連結されているアイコン７０１，７０３，７０４に対応するユーザーについても、ファクシミリ送信の宛先として設定されても良い。アイコン７０１は複合機２０１のユーザー（複合機２０１にログインしているユーザー）であるため、ＣＰＵ２５０は、当該ユーザー（アイコン７０１に対応するユーザー）を送信先に含めない場合も有り得る。
【００７１】
なお、本実施の形態では、相関図に基づいた送信先の設定として、ファクシミリ送信の送信先を例示したが、これに限定されず、ＣＰＵ２５０は、相関図に基づいて、電子メールの送信先を設定しても良い。
【００７２】
［第３の実施の形態］
以上説明した第１および第２の実施の形態では、相関図の各アイコンは個人に対応していたが、相関図は企業等の団体に対応していても良い。
【００７３】
本実施の形態の情報処理装置は、たとえば第１の実施の形態のクライアント端末２００のような汎用コンピューターによって実現される。本実施の形態では、相関図提供サーバー１００から取得した情報とユーザー情報とに基づいて、相関図を生成し、表示させる。本実施の形態において相関図の生成に利用されるユーザー情報の一例を、表２に示す。
【００７４】
【表２】
2013020364.tif 000004
【００７５】
表２に示されたユーザー情報は、各ユーザーについて、ユーザー名と所属が登録されている。具体的には、たとえば、ユーザー名「Ｘ１」について、所属「ＸＸ」が登録されている。
【００７６】
図１３は、本実施の形態において表示される相関図の一例を示す図である。
本実施の形態では、ＣＰＵ２５０は、第１または第２の実施の形態において説明したような相関図を作成する際に、表２のユーザー情報に基づいて、各ユーザーの所属を特定する。そして、相関図では、図１３に示されるように、各ユーザーのアイコンの代わりに、各ユーザーが所属する団体を表す画像４０１〜４０５を、相関関係に従って配置する。
【００７７】
画像４０１〜４０５の画像データは、予めＨＤＤ２６４に登録されていても良いし、ＣＰＵ２５０が、ネットワーク５００を介して、各所属に対応するホームページなどから取得しても良い。
【００７８】
［第４の実施の形態］
本実施の形態では、ユーザーごとに業務の進捗状況を登録しておき、相関図とともに当該進捗状況が表示される。業務の進捗状況の登録態様の一例を、表３に示す。
【００７９】
【表３】
2013020364.tif 000005
【００８０】
表３では、ユーザーごとに、「状況」として業務の進捗状況が登録されている。当該進捗状況は、各ユーザーがネットワーク５００上のサーバーに登録したものであっても良いし、公知の管理システムが各ユーザーの業務の進捗状況を特定し、所定のサーバーに登録したものであってもよい。また、表３では、ユーザーごとに「ＡＩ」が登録されている。ＡＩとは、Appreciative  Inquiryを意味する。
【００８１】
図１４は、本実施の形態において表示される相関図の一例を示す図である。
図１４に示される相関図は、アイコン３５１〜３５６を含む。また、各アイコンを結ぶ線の太さは、図９を参照して説明したのと同様に、アイコンに対応するユーザー間での通信の頻度に対応している。そして、当該相関図では、各ユーザーに対応するアイコン近傍に吹き出しが表示され、当該吹き出しの中には、表３に示された各ユーザーの業務の進捗状況およびＡＩの有無が示されている。アイコン３５１〜３５６は、表３中のユーザー名Ａ〜Ｆにそれぞれ対応する。また、ＡＩについては、「有り」のユーザーに対応するアイコンに対して特別の図形（アイコン３５３に対する図形３５３Ａ）が表示されている。
【００８２】
なお、表３に示された情報は、各ユーザーの所属に関する情報を含む。本実施の形態では、入力装置２６０に対して相関図の表示の粒度（縮尺）を変更する操作がなされると、所属単位で相関図が表示される。図１５は、本実施の形態においてユーザーの所属単位で相関図が示された例を示す図である。
【００８３】
図１５中のアイコン３９１〜３９５は、図１４の相関図に表示されたアイコンに対応するユーザーを所属単位にまとめて表示するものである。つまり、アイコン３９１は、アイコン３５１に対応するユーザーの所属（Ｇ１）に対応する。また、アイコン３９２〜３９４は、アイコン３５２〜３５４に対応するユーザーの所属（Ｇ２〜Ｇ４）のそれぞれに対応する。そして、アイコン３９５は、アイコン３５５，３５６に対応するユーザーの所属（Ｇ５）に対応する。アイコン３９３には、アイコン３５３の図形３５３Ａと同様に、図形３９３Ａが付されている。
【００８４】
図１５において、１つのアイコンが複数のユーザーに対応する場合、通信頻度や業務の進捗等の表示態様は、所属内のユーザーの平均とされても良いし、所属内のユーザーの最良値または最悪値とされても良い。
【００８５】
今回開示された各実施の形態およびその変形例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００８６】
また、各実施の形態は、可能な限り、単独でも、組合わせても、実施することを意図される。
【００８７】
さらには、以上説明した各実施の形態では、情報処理装置は、相関図を作成する際、相関図を作成するための情報をネットワークを介して相関図提供サーバーから取得したが、自機内に蓄積し、それを読み出してもよい。
【００８８】
また、各実施の形態において、情報処理装置は、相関図を表示するモニターと一体的に構成されていたが、情報処理装置は、外部の装置の表示機器に相関図を表示させるための情報を生成するものであってもよい。
【符号の説明】
【００８９】
１００  相関図提供サーバー、２００  クライアント端末、２０１  複合機、２５２  メディアドライブ、２５２Ａ  記憶媒体、２５６  ＲＯＭ、２６０  入力装置、２６２  通信装置、２６６  モニター、２６８  プリントエンジン、２６９  スキャナー。
【図１】
2013020364.tif 000006
【図２】
2013020364.tif 000007
【図３】
2013020364.tif 000008
【図４】
2013020364.tif 000009
【図５】
2013020364.tif 000010
【図６】
2013020364.tif 000011
【図７】
2013020364.tif 000012
【図８】
2013020364.tif 000013
【図９】
2013020364.tif 000014
【図１０】
2013020364.tif 000015
【図１１】
2013020364.tif 000016
【図１２】
2013020364.tif 000017
【図１３】
2013020364.tif 000018
【図１４】
2013020364.tif 000019
【図１５】
2013020364.tif 000020